(57)【要約】  【目的】  携帯電話の表示装置の経時劣化による画像の輝度レベルの低下を補正する。  【構成】  携帯電話の表示装置の使用時間−液晶劣化特性を記憶しておく。携帯電話の表示装置と携帯電話会社の通信管理サーバとの接続時間を携帯電話の表示装置の使用時間と見なして，使用時間と劣化特性とに応じて画像データを補正する（ステップ42〜45）。補正された画像データが携帯電話１の表示装置に表示される（ステップ32）。  【選択図】  図７
2005114896.tif 000002
【特許請求の範囲】
【請求項１】
表示装置を備えた携帯電話からの画像データ・リクエストを受信する受信手段，
上記携帯電話の電源がオンされている時間の合計時間を算出する算出手段，
上記携帯電話の表示装置の使用時間−劣化特性と上記算出手段によって算出された合計時間とにもとづいて，上記受信手段によって受信したリクエストに対応する画像データを補正する補正手段，および
上記補正手段によって補正した画像データを上記携帯電話に送信する送信手段，
を備えた画像サーバ。
【請求項２】
上記算出手段は，上記携帯電話と上記携帯電話の携帯電話会社の通信管理サーバとの通算接続時間とにもとづいて上記携帯電話がオンされている時間の合計時間を算出するものである，請求項１に記載の画像サーバ。
【請求項３】
上記表示装置は，液晶表示装置であり，
上記補正手段は，上記液晶表示装置の使用時間−液晶劣化特性と上記算出手段によって算出された時間とにもとづいて，上記受信手段によって受信したリクエストに対応する画像データを補正するものである，
請求項１に記載の画像サーバ。
【請求項４】
上記表示装置は，バックライト装置をもつ液晶表示装置であり，
上記補正手段は，上記液晶表示装置の使用時間−バックライト装置劣化特性と上記算出手段によって算出された時間とにもとづいて，上記受信手段によって受信したリクエストに対応する画像データを補正するものである，
請求項１に記載の画像サーバ。
【請求項５】
表示装置を備えた携帯電話からの画像データ・リクエストを受信し，
上記携帯電話の電源がオンされている時間の合計時間を算出し，
上記携帯電話の表示装置の使用時間−劣化特性と上記算出手段によって算出された合計時間とにもとづいて，受信したリクエストに対応する画像データを補正し，
補正した画像データを上記携帯電話に送信する，
画像サーバの制御方法。
【発明の詳細な説明】
【技術分野】
【０００１】
液晶表示装置に画像を表示する場合，液晶表示パネル等の経時劣化により，液晶表示装置の使用開始時と液晶表示装置が使用されてある程度時間が経過した時とでは表示される画像が劣化することがある。
【０００２】
見やすい画像を得るために，画像表示装置等にセンサを設け，センサによって画像の劣化を検出し，画像を補正するものがある（特許文献１，２）。
【特許文献１】特開平６−217242号公報
【特許文献２】特開2001−265296号公報
【０００３】
しかしながら，センサが必要であるための装置を小型することはできない。
【発明の開示】
【０００４】
この発明は，センサを設けることなく画像を補正することを目的とする。
【０００５】
この発明による画像サーバは，表示装置を備えた携帯電話（ＰＨＳ：personal handyphone system，携帯電話の機能を備えた携帯型電子装置などを含む）からの画像データ・リクエストを受信する受信手段，上記携帯電話の電源がオンされている時間の合計時間を算出する算出手段，上記携帯電話の表示装置の使用時間−劣化特性と上記算出手段によって算出された合計時間とにもとづいて，上記受信手段によって受信したリクエストに対応する画像データを補正する補正手段，および上記補正手段によって補正した画像データを上記携帯電話に送信する送信手段を備えていることを特徴とする。
【０００６】
この発明は，上記画像サーバに適した制御方法も提供している。すなわち，この方法は，表示装置を備えた携帯電話からの画像データ・リクエストを受信し，上記携帯電話の電源がオンされている時間の合計時間を算出し，上記携帯電話の表示装置の使用時間−劣化特性と上記算出手段によって算出された合計時間とにもとづいて，受信したリクエストに対応する画像データを補正し，補正した画像データを上記携帯電話に送信するものである。
【０００７】
この発明によると，表示装置を備えた携帯電話からの画像データのリクエストが受信される。すると，リクエストを送信した携帯電話の電源がオンされている時間の合計時間が算出される。算出された合計時間と上記携帯電話の表示装置の使用時間−劣化特性とにもとづいて，リクエストに対応する画像データが補正される。補正された画像データが上記携帯電話に送信される。
【０００８】
表示装置を備えた携帯電話にセンサがなくとも表示装置の劣化に応じて補正された画像を携帯電話の表示装置に表示させることができる。
【０００９】
上記算出手段は，たとえば，上記携帯電話と上記携帯電話の携帯電話会社の通信管理サーバとの通算接続時間とにもとづいて上記携帯電話がオンされている時間の合計時間を算出する。携帯電話会社の通信管理サーバは，携帯電話の存在位置を確認するために，携帯電話がオンされているかどうか，オンされている場合には，接続時間を記録している。この接続時間を利用して携帯電話がオンされている時間の合計時間が算出される。
【００１０】
上記表示装置は，たとえば，液晶表示装置である。この場合，上記補正手段は，上記液晶表示装置の使用時間−液晶劣化特性と上記算出手段によって算出された時間とにもとづいて，上記受信手段によって受信したリクエストに対応する画像データを補正するものとなろう。液晶の劣化に応じて画像を補正できる。
【００１１】
上記表示装置が，バックライト装置をもつ液晶表示装置の場合には，上記補正手段は，上記液晶表示装置の使用時間−バックライト装置劣化特性と上記算出手段によって算出された時間とにもとづいて，上記受信手段によって受信したリクエストに対応する画像データを補正するものとなろう。バックライト装置の劣化に応じて画像を補正できる。
【実施例】
【００１２】
図１は，この発明の実施例を示すもので，画像通信システムの概要を示している。
【００１３】
画像通信システムは，ネットワークを介して互いに通信可能な携帯電話１ならびに通信管理サーバ２および画像サーバ５を備えている。携帯電話１は，バックライト装置をもつ液晶表示装置１Ａを備えている。通信管理サーバ２および画像サーバ５は，たとえば，携帯電話１によって契約されている携帯電話会社のものである。図１においては，１台の携帯電話１が図示されているが多数の携帯電話が通信管理サーバ２および画像サーバ５と通信可能である。
【００１４】
通信管理サーバ２には，合計使用時間データベース３および劣化特性データベース４が接続されている。画像サーバ５には，画像データベース６が接続されている。
【００１５】
合計使用時間データベース３は，携帯電話１に設けられている表示装置の合計使用時間を携帯電話ごとに記憶しているものである。劣化特性データベース４は，携帯電話の液晶表示装置の使用時間−劣化特性を示すデータを携帯電話ごとに記憶しているものである。画像データベース６は，多数の画像を表す画像データを記憶しているものである。
【００１６】
この実施例による画像通信システムにおいては，携帯電話１の表示装置の劣化に応じて，画像データが補正される。補正された画像データが携帯電話１に送信される。携帯電話１の表示装置の表示画面には劣化に応じて補正された画像が表示されることとなる。
【００１７】
通信管理サーバ２および画像サーバ５には，携帯電話１等と通信するための通信回路，画像データ等を処理するためのＣＰＵ，時間を計測するためのタイマ，データを一時的に記憶するためのメモリが備えられているのはいうまでもない。
【００１８】
図２は，合計使用時間データベース３に記憶されている合計使用時間テーブルの一例である。
【００１９】
合計使用時間テーブルには，上述したように，携帯電話の合計使用時間が携帯電話の電話番号ごとに記憶されている。電話番号が変わらずに携帯電話の機種変更が行われた場合には，合計使用時間はリセットされる。
【００２０】
図３から図５は，劣化特性データベース４に記憶されている使用時間−液晶劣化特性のデータによって表されるグラフである。
【００２１】
図３は赤色成分の使用時間−液晶劣化特性を示し，図４は緑色成分の使用時間−液晶劣化特性を示し，図５は青色成分の使用時間−液晶劣化特性を示している。赤色成分，緑色成分および青色成分のいずれも使用時間が長くなるにつれて表示装置によって表示される画像の輝度レベルが理想レベルから低下していく。
【００２２】
赤色成分，緑色成分および青色成分の使用時間−液晶劣化特性は，それぞれ携帯電話の機種（携帯電話に設けられている表示装置の種類）Ｍ１，Ｍ２，Ｍ３などにより異なる。たとえば，図３を参照して，携帯電話の機種Ｍ１，Ｍ２およびＭ３の順に使用時間に応じて赤色成分が劣化する。図４を参照して，携帯電話の機種Ｍ１，Ｍ３およびＭ２の順に使用時間に応じて緑色成分が劣化する。図５を参照して，携帯電話の機種Ｍ１，Ｍ２およびＭ３の順に使用時間に応じて青色成分が劣化する。赤色成分，緑色成分および青色成分のうち，赤色成分の劣化の程度が大きいことが分かる（とくに，機種Ｍ３）。
【００２３】
図４は，合計使用時間データベース３に記憶されているテーブルに格納される合計使用時間を更新する処理手順を示すもので，携帯電話と通信管理サーバ２との間の処理手順を示すフローチャートである。
【００２４】
あらかじめ決められた一定時間が経過すると（ステップ21でＹＥＳ），通信管理サーバ２から携帯電話１に，携帯電話１がオンとなっているかオフとなっているかの問い合わせが行われる（ステップ22）。
【００２５】
携帯電話１がオンとなっていれば，通信管理サーバ２からの問い合わせに応じて，携帯電話１から通信管理サーバ２にオンを示すデータが送信される（ステップ11）。携帯電話１がオフであれば，何も送信されない。
【００２６】
携帯電話１への問い合わせ後，所定時間内にオンを示すデータが通信管理サーバ２において受信されると（ステップ23でオン），計時が開始される（ステップ24）。通信管理サーバ２の動作が停止させられるまで，ステップ21から23までの処理が繰り返される（ステップ27）。
【００２７】
携帯電話１への問い合わせ後，所定時間内にオンを示すデータが通信管理サーバ２において受信されないと（ステップ23でオフ），計時が終了する（ステップ25）。計測された時間は，携帯電話会社の通信管理サーバ２において管理される通信管理サーバ２と携帯電話１との接続時間である。この接続時間が，携帯電話１の表示装置の使用時間と見なされて，合計使用時間テーブルの対応する合計使用時間に加算されることにより合計使用時間が更新される（ステップ26）。
【００２８】
図５は，画像データの補正処理を示すもので，携帯電話１と画像サーバ５との処理手順を示すフローチャートである。
【００２９】
所望の画像データのリクエスト，携帯電話１の電話番号を示すデータ等が携帯電話１から画像サーバ５に送信される（ステップ31）。
【００３０】
携帯電話１から送信されたリクエスト等が画像サーバ５において受信されると（ステップ41），画像サーバ５から通信管理サーバ２に合計使用時間読み取り指令が与えられ，リクエストを送信した携帯電話１の電話番号に対応する合計使用時間を表すデータが合計使用時間データベース２から読み取られる。読み取られた合計使用時間を表すデータは，通信管理サーバ２から画像サーバ５に送信される（ステップ42）。また，画像サーバ５から通信管理サーバ２に劣化特性読み取り指令が与えられ，リクエストを送信した携帯電話１の電話番号に対応する赤色成分，緑色成分および青色成分の劣化特性をそれぞれ表すデータが劣化特性データベース４から読み取られる。読み取られた劣化特性を表すデータは，通信管理サーバ２から画像サーバ５に送信される（ステップ43）。さらに，携帯電話１から送信されたリクエストに対応する画像データが画像データベース６から読み取られる（ステップ44）。
【００３１】
読み取られた画像データが，画像データのリクエストを示すデータを送信した携帯電話１の表示装置の合計使用時間と使用時間−液晶劣化特性とに応じて，理想の輝度レベルを表すように補正が行われる（ステップ45）。補正された画像データが画像サーバ５から携帯電話１に送信される（ステップ46）。
【００３２】
画像サーバ５から送信された補正後の画像データが携帯電話１において受信されると，その画像データによって表される画像が表示装置の表示画面上に表示される（ステップ32）。表示装置の表示画面上には，液晶表示装置の経時劣化を考慮して理想的な画像（理想的な輝度レベルをもつ画像）が表示されることとなる。
【００３３】
上述の実施例においては，劣化特性データベース４には，液晶表示装置の液晶の劣化特性が記憶されているが，携帯電話１にバックライト装置をもつ表示装置が備えられている場合には，バックライト装置の使用時間−劣化特性を記憶しておき，上述したのと同様に画像データを補正することもできる。バックライト装置の経時劣化に応じた画像補正ができる。
【図面の簡単な説明】
【００３４】
【図１】画像通信システムの全体構成を示している。
【図２】合計使用時間テーブルの一例である。
【図３】赤色成分の使用時間−液晶劣化特性を示している。
【図４】緑色成分の使用時間−液晶劣化特性を示している。
【図５】青色成分の使用時間−液晶劣化特性を示している。
【図６】携帯電話と通信管理サーバとの処理手順を示すフローチャートである。
【図７】携帯電話と画像サーバとの処理手順を示すフローチャートである。
【符号の説明】
【００３５】
１  携帯電話
１Ａ  液晶表示装置
２  通信管理サーバ
３  合計使用時間データベース
４  劣化特性データベース
５  画像サーバ
６  画像データベース
【図１】
2005114896.tif 000003
【図２】
2005114896.tif 000004
【図３】
2005114896.tif 000005
【図４】
2005114896.tif 000006
【図５】
2005114896.tif 000007
【図６】
2005114896.tif 000008
【図７】
2005114896.tif 000009